(57)【特許請求の範囲】
【請求項１】
画素が行列状に配置されてなる画素部の上下の複数行分の特定領域に所定の色信号を表示することによってアスペクト比の異なる画面表示が可能な液晶表示装置であって、
前記特定領域に前記所定の色信号を表示する際に、前記特定領域における奇数行のゲートラインと偶数行のゲートラインとを別系統の駆動パルスで駆動する駆動手段と、
前記所定の色信号を１水平期間ごとに極性を反転させて前記特定領域の画素に供給する信号供給手段と
を備え、
前記駆動手段は、奇数行のゲートラインと偶数行のゲートラインとを駆動する順番をフィールドごとに切り替える
ことを特徴とする液晶表示装置。
【請求項２】
前記駆動手段は、前記別系統の駆動パルスを各パルス間に間隔を持たせて生成することを特徴とする請求の範囲第１項記載の液晶表示装置。
【請求項３】
画素が行列状に配置されてなる画素部の上下の複数行分の特定領域に所定の色信号を表示することによってアスペクト比の異なる画面表示が可能な液晶表示装置の駆動方法であって、
前記特定領域に前記所定の色信号を表示する際に、前記特定領域における奇数行のゲートラインと偶数行のゲートラインとを別系統の駆動パルスで駆動する一方、
前記所定の色信号を１水平期間ごとに極性を反転させて前記特定領域の画素に供給し、
奇数行のゲートラインと偶数行のゲートラインとを駆動する順番をフィールドごとに切り替える
ことを特徴とする液晶表示装置の駆動方法。
【請求項４】
前記別系統の駆動パルスが相互のパルス間に間隔を持っていることを特徴とする請求の範囲第３項記載の液晶表示装置の駆動方法。
【請求項５】
撮像画像をモニタリングする液晶表示装置を具備するカメラシステムであって、
前記液晶表示装置は、画素が行列状に配置されてなる画素部の上下の複数行分の特定領域に所定の色信号を表示することによってアスペクト比の異なる画面表示が可能であり、
前記特定領域に前記所定の色信号を表示する際に、前記特定領域における奇数行のゲートラインと偶数行のゲートラインとを別系統の駆動パルスで駆動する駆動手段と、
前記所定の色信号を１水平期間ごとに極性を反転させて前記特定領域の画素に供給する信号供給手段と備え、
前記駆動手段は、奇数行のゲートラインと偶数行のゲートラインとを駆動する順番をフィールドごとに切り替える
ことを特徴とするカメラシステム。
【発明の詳細な説明】
技術分野
本発明は、液晶表示装置及びその駆動方法、並びに撮像画像をモニタリングする表示装置として液晶表示装置を用いたカメラシステムに関する。
背景技術
近年、アスペクト比が４：３の標準のテレビジョン方式（ＮＴＳＣ方式など）に対して、アスペクト比が１６：９のいわゆるワイドビジョン（ハイビジョン）が開発され、これに伴ってワイドビジョン用の撮影モードを持ったビデオカメラ装置も発売されている。
ワイドビジョンには、大画面のディスプレイが必要となる。大画面のディスプレイとしては、液晶表示装置（ｌｉｑｕｉｄ  ｃｒｙｓｔａｌ  ｄｉｓｐｌａｙ；ＬＣＤ）やＥＬ（ｅｌｅｃｔｒｏ  ｌｕｍｉｎｅｓｃｅｎｃｅ；エレクトロルミネッセンス）表示装置など、広い設置場所を必要としないパネルディスプレイが最適である。また、特に液晶表示装置は、原理的に、駆動電力をあまり要しない特性を有することから、ビデオカメラシステムの電子ビューファインダ（ＥＶＦ；Ｅｌｅｃｔｒｉｃａｌ  Ｖｉｅｗ  Ｆｉｎｄｅｒ）やモニタ等としても用いられている。
ここで、アスペクト比が異なるテレビジョン方式に対応できるようにするためには、テレビジョン方式に応じてアスペクト比を切り替えるようにする必要がある。このため、標準のテレビジョン方式に対応したアスペクト比が４：３の表示画面を有する液晶表示装置において、１６：９のワイドビジョン対応の表示が行えるようにするために、従来から、例えば、画素が行列状に配置されてなる画素部の上下の数行（数段）分について黒表示を行うことでワイド画面を構築する技術が一般的に採用されている。
ところで、液晶表示装置の駆動方式として、画素の各々に対して個々の独立した画素電極を配列し、これら画素電極の各々に薄膜トランジスタ（ＴＦＴ；Ｔｈｉｎ  Ｆｉｌｍ  Ｔｒａｎｓｉｓｔｏｒ）などのスイッチング素子を接続して画素を選択的に駆動する、いわゆるアクティブマトリクス駆動方式（以下、単にアクティブマトリクス型と記す）が知られている。
アクティブマトリクス型液晶表示装置では、スイッチング素子として例えばＴＦＴが形成されたＴＦＴ基板と、カラーフィルタや対向電極等が形成された対向基板とを重ね合わせ、これら基板間に液晶材料を封入することによって液晶表示パネルが構成されている。そして、この液晶表示パネルにおいて、薄膜トランジスタによるスイッチング制御と映像信号に基づく電圧印加によって液晶の配向を制御し、光の透過率を変えることで画像表示を行っている。
そして、アクティブマトリクス型液晶表示装置においては、一般的に、映像信号と水平、垂直同期信号（または、水平、垂直同期信号を含む複合映像信号）をタイミングジェネレータ及びアナログ信号ドライバが受け、タイミングジェネレータからは各種のタイミング信号を、アナログ信号ドライバからは交流駆動化されたアナログ映像信号をそれぞれ液晶表示パネルに供給することによって表示駆動が行われる。
ここで、交流駆動化されたアナログ映像信号とは、基準電位Ｖｃｏｍ（以下、コモン電位Ｖｃｏｍと称す）を中心にある周期にて極性が反転するアナログ映像信号のことを言う。液晶に同極性の直流電圧を印加し続けた場合には、液晶の比抵抗（物質固有の抵抗値）等が劣化し易くなるが、アナログ映像信号を交流駆動化することで、この液晶劣化を防ぐことができる。
また、アナログ映像信号の反転のタイミングにより、フィールド反転駆動とライン（１Ｈ：１水平期間）反転駆動とに大別される。ここで、フィールド反転駆動とは、ある極性のアナログ映像信号を全画素に書き込んだ後に、アナログ映像信号の極性を反転させる駆動法である。一方、ライン反転駆動とは、横方向（水平方向）１ラインごとにアナログ映像信号の極性を反転させ、これをさらにフィールドごとに反転させる駆動法である。
フィールド反転駆動法に比べてライン（１Ｈ）反転駆動法は、中間信号レベルにおいてＨｉｇｈ側（＋側）とＬｏｗ（−側）側との画素電位が隣接しているため、フリッカ（画像のちらつき）が視認されにくいという利点がある。したがって、アクティブマトリクス型液晶表示装置では、一般的に、ライン反転駆動法が採用されている。
このライン反転駆動のアクティブマトリクス型液晶表示装置において、先述したワイド画面表示での上下の黒表示部分（以下、黒フレーム部分と称す）を表示する際に、従来は、図１に示すように、この黒フレーム部分（本例では、上下各々２８段）のゲートラインに対して駆動パルスを共通に与え、同極性の黒レベル信号を各画素に一括して書き込むことで黒色表示を行うようにしていた。この場合、上下の黒フレーム部分には、同極性の画素電位が保持される。この画素電位の保持状態を見ると、黒フレーム部分ではフィールド反転駆動になっている。一方、液晶表示パネル中央の有効表示エリアでは、ライン反転駆動が行われているため、上下の隣接画素には逆極性の電位が保持されている。
しかしながら、ライン反転駆動のアクティブマトリクス型液晶表示装置において、上述したように、ワイド画面表示時に液晶表示パネル内での保持電位としてフィールド反転状態とライン反転状態との２つの状態が存在すると、コモン電位Ｖｃｏｍの調整が困難になる。また、コモン電位Ｖｃｏｍが最適値からずれた場合、フリッカ、焼き付きなどが起こる可能性があり、これらは画品位を落とす要因となる。
発明の開示
本発明は、標準規格の表示画面でワイド規格の画面を表示させる際に、ワイド画面時のコモン電位Ｖｃｏｍの調整のマージンを広げ、かつ画品位を向上することができる液晶表示装置及びその駆動方法、ならびに撮像画像をモニタリングする表示装置として当該液晶表示装置を用いたカメラシステムを提供することを目的とする。
上記目的を達成するために、本発明では、画素が行列状に配置されてなる画素部の上下の複数行分の特定領域に所定の色信号を表示することによってアスペクト比の異なる画面表示が可能な液晶表示装置において、上記特定領域に前記所定の色信号を表示する際に、この特定領域における奇数行のゲートラインと偶数行のゲートラインとを別系統の駆動パルスで駆動する一方、所定の色信号を１水平期間ごとに極性を反転させて特定領域の画素に供給するようにする。この液晶表示装置は、ビデオカメラなどのカメラシステムにおいて、撮像画像をモニタリングする表示装置として用いられる。
上記構成の液晶表示装置あるいはこれを用いたカメラシステムにおいて、アスペクト比の異なる画面表示の際に、特定領域の奇数行と偶数行とを別系統の駆動パルスで駆動する一方、１水平期間ごとに極性が反転する色信号で特定領域の表示を行うことで、特定領域も映像表示部分と同様にライン反転駆動が行われる。これにより、画素の保持電位が特定領域も映像表示部分と同じライン反転状態となり、コモン電位の調整に余裕ができる。
本発明の更に他の目的、本発明によって得られる具体的な利点は、以下において図面を参照して説明される実施の形態の説明から一層明らかにされるであろう。
発明を実施するための最良の形態
以下、本発明の実施の形態について図面を参照して詳細に説明する。図２において、本実施形態に係るアクティブマトリクス型液晶表示装置は、後述するように、画素が行列状（マトリクス状）に配列されてなる画素部（有効画素領域）１１と、画素部１１の例えば上側に配置され、各画素への表示データの書き込みを点順次で行う水平（Ｈ）駆動系１２と、画素部１１の例えば左側に配置され、各画素を行単位で選択する垂直（Ｖ）駆動系１３と、各種のタイミング信号を発生するためのタイミングジェネレータ（ＴＧ）１４とを備えた構成となっている。
画素部１１は、２枚の透明絶縁基板（例えば、ガラス基板）間に液晶材料を封入することによって作製される。この画素部１１において、行列状に配列された各画素２０は、スイッチング素子であるＴＦＴ（薄膜トランジスタ）２１と、このＴＦＴ２１のドレイン電極に画素電極が接続された液晶セル２２と、ＴＦＴ２１のドレイン電極に一方の電極が接続された補助キャパシタ２３とから構成されている。
この画素構造において、各画素２０のＴＦＴ２１は、そのゲート電極が垂直方向（行配列方向）の画素数Ｙ（以下、垂直画素数Ｙと称す）に対応したｙ行分のゲートライン２４−１，２４−２，……，２４−ｙ−１，２４−ｙの各々にそれぞれ接続され、かつそのソース電極が水平方向（列配列方向）の画素数Ｘ（以下、水平画素数Ｘと称す）に対応したｘ列分の信号ライン２５−１，２５−２，……，２５−ｘ−１，２５−ｘの各々にそれぞれ接続されている。また、液晶セル２２の対向電極及び補助キャパシタ２３の他方の電極は、コモン電位Ｖｃｏｍが与えられるコモンライン２６に接続されている。
水平駆動系１２は、水平画素数Ｘに対応した段数のシフトレジスタからなるＨスキャナ１２１と、水平画素数Ｘに対応して設けられたｘ個の水平スイッチ１２２−１〜１２２−ｘとを有する構成となっている。Ｈスキャナ１２１は、水平走査を指令するための水平スタートパルスＨｓｔを、水平走査の基準となる水平クロックＨｃｋに同期して順に転送することによって得られる各段の転送パルスを水平走査パルスとして順に出力する。水平スイッチ１２２−１〜１２２−ｘは、例えばＭＯＳトランジスタからなり、Ｈスキャナ１２１から順に出力される水平走査パルスに応答して順にオン状態となることで、表示データを画素部１１の信号ライン２５−１〜２５−ｘに順次供給する。
垂直駆動系１３は、アスペクト比が４：３の標準テレビジョン信号に対応した標準モードからアスペクト比が例えば１６：９のワイドビジョンに対応したワイドモードに切り替える際に、画面の上下部分に所定の色（本例では、黒色）を表示するための駆動が可能な構成となっている。なお、ここでは、図面の簡略化のために、画面の上下２行（２段）分ずつについて黒色表示を行う場合を例にとって説明するものとする。
具体的には、垂直駆動系１３は、垂直画素数Ｙに対応した段数のシフトレジスタからなるＶスキャナ１３１と、ｙ個のＡＮＤ回路１３２−１〜１３２−ｙ及びｙ個のＯＲ回路１３３−１〜１３３−ｙを含む論理制御回路１３４と、駆動パルス（１），（２）を発生する駆動パルス発生回路１３５と、インバータ１３６とを有する構成となっている。
この垂直駆動系１３において、Ｖスキャナ１３１は、垂直走査を指令するための垂直スタートパルスＶｓｔを、垂直走査の基準となる垂直クロックＶｃｋに同期して順に転送することによって得られる各段の転送パルスを垂直走査パルスとして順に出力する。これら垂直走査パルスは、ＡＮＤ回路１３２−１〜１３２−ｙに対して各一方の入力として与えられる。
ＡＮＤ回路１３２−１〜１３２−ｙのうち、画素部１１の黒フレーム部分（黒色表示領域）を担う上側の２行分に対応するＡＮＤ回路１３２−１，１３２−２と下側２行分のＡＮＤ回路１３２−ｙ−１，１３２−ｙの各々にはその他方の入力として、ワイドモード時に“Ｈ”レベルとなるワイドモード制御信号Ｗｉｄｅがインバータ１３６を介して共通に与えられる。画素部１１の黒フレーム部分以外の領域、即ちワイド画面に対応した中央部の映像表示領域を担う３行目〜（ｙ−２）行目のＡＮＤ回路１３２−３〜１３２−ｙ−２にはその他方の入力として、正の電源電圧Ｖｄｄが共通に与えられる。
ＡＮＤ回路１３２−１〜１３２−ｙの各出力は、ＯＲ回路１３３−１〜１３３−ｙの各々に対してその一方の入力として与えられる。ここで、黒フレーム部分に対応するＯＲ回路１３３−１，１３３−２，１３３−ｙ−１，１３３−ｙのうち、奇数行のＯＲ回路１３３−１，１３３−ｙ−１にはその他方の入力として、駆動パルス発生回路１３５で発生される駆動パルス（１）が与えられ、偶数行のＯＲ回路１３３−２，１３３−ｙにはその他方の入力として、駆動パルス発生回路１３５で発生される駆動パルス（２）が与えられる。
黒フレーム部分以外の領域に対応するＯＲ回路１３３−３〜１３３−ｙ−２にはその他方の入力として、ＧＮＤレベル（負の電源電圧Ｖｓｓ）が与えられる。ＯＲ回路１３３−１〜１３３−ｙの各出力は、画素部１１のゲートライン２４−１〜２４−ｙに与えられる。なお、黒フレーム部分以外の領域に対応するＯＲ回路１３３−３〜１３３−ｙ−２については省略することも可能である。すなわち、Ｖスキャナ１３１から出力される画素部１１の黒フレーム部分以外の表示領域についての垂直走査パルスを、ＡＮＤ回路１３２−３〜１３２−ｙ−２を通して直接ゲートライン２４−３〜２４−ｙ−２に与えるようにしても、同様の作用効果を得ることができる。
駆動パルス発生回路１３５は、外部から与えられるワイドモード制御信号Ｗｉｄｅが“Ｈ”レベルのとき、即ちワイドモードのとき、図３のタイミングチャートに示すように、垂直スタートパルスＶｓｔが発生されることで、垂直クロックＶｃｋに同期して位相の異なる別系統の駆動パルス（１），（２）を発生する。例えば、垂直クロックＶｃｋが“Ｈ”レベルのとき駆動パルス（１）を、垂直クロックＶｃｋが“Ｌ”レベルのとき駆動パルス（２）をそれぞれ発生する。
タイミングジェネレータ１４は、Ｈスキャナ１２１に与える水平スタートパルスＨｓｔ及び水平クロックＨｃｋ、ならびにＶスキャナ１３１及び駆動パルス発生回路１３５に与える垂直スタートパルスＶｓｔ及び垂直クロックＶｃｋを含む各種のタイミング信号を発生する。
なお、上述した垂直駆動系１３の回路構成は一例に過ぎず、これに限定されるものではなく、要は、ワイドモード時に画素部１１の上下に黒フレーム部分を表示するための駆動が可能な回路構成であれば良く、種々の改変が可能である。
次に、上記構成のアクティブマトリクス型液晶表示装置の動作について説明する。
先ず、ワイドモードが設定されると、タイミングジェネレータ１４からワイドモード制御信号Ｗｉｄｅが出力される。これにより、ＡＮＤ回路１３２−１，１３２−２，１３２−ｙ−１，１３２−ｙの各他方の入力が“Ｌ”レベルとなるため、黒フレーム部分の各行のゲートライン２４−１，２４−２，２４−ｙ−１，２４−ｙにはＶスキャナ１３１から出力される垂直走査パルスは与えられない。
それに代わって、駆動パルス発生回路１３５から出力される別系統の駆動パルス（１），（２）が黒フレーム部分の各行のゲートライン２４−１，２４−２，２４−ｙ−１，２４−ｙに与えられる。具体的には、奇数行のゲートライン２４−１，２４−ｙ−１には駆動パルス（１）がＯＲ回路１３３−１，１３３−ｙ−１を介して与えられ、偶数行のゲートライン２４−２，２４−ｙには駆動パルス（２）がＯＲ回路１３３−１，１３３−ｙを介して与えられることになる。
なお、黒フレーム部分以外の映像表示領域については、標準モードの場合と同様に、Ｖスキャナ１３１から出力される垂直走査パルスが、ＡＮＤ回路１３２−３〜１３２−ｙ−２及びＯＲ回路１３３−３〜１３３−ｙ−２を介して各行のゲートライン２４−３〜２４−ｙ−２に与えられる一方、１Ｈ周期で極性が反転する映像信号が水平スイッチ１２２−１〜１２２−ｘを介して信号ライン２５−１〜２５−ｘに順に供給されることで、ワイドビジョン対応の映像表示が点順次にて行われることになる。
続いて、黒フレーム部分の表示駆動について図４の概念図を用いて説明する。ここでは、ワイドモード設定時に標準画面に対応した有効画素領域の例えば上下２８段（行）ずつを黒フレーム部分ＢＬＫｕ，ＢＬＫｄとすることで、ワイド画面に切り替える場合を例に採って説明するものとする。
先ず、上下の黒フレーム部分ＢＬＫｕ，ＢＬＫｄの２８段は、奇数（ＯＤＤ）１４段、偶数（Ｅｖｅｎ）１４段からなり、これらに対して別系統の駆動パルス（１），（２）が与えられる。すなわち、奇数段には駆動パルス（１）が、偶数段には駆動パルス（２）がそれぞれ与えられる。一方、黒レベル信号が水平スイッチ１２２−１〜１２２−ｘを介して信号ライン２５−１〜２５−ｘに順次供給される。この黒レベル信号は、１水平期間（１Ｈ）ごとに極性が反転する信号である。
図３のタイミングチャートにおいて、先ず、“Ｈ”レベルの駆動パルス（１）が黒フレーム部分ＢＬＫｕ，ＢＬＫｄの奇数段に与えられることで、奇数段の各画素に対してある極性の黒レベル信号が書き込まれる。その際、偶数段の駆動パルス（２）“Ｌ”レベル状態にあるため、偶数段の各画素には黒レベル信号は書き込まれない。続いて、駆動パルス（２）が“Ｈ”レベルに遷移し、これが黒フレーム部分ＢＬＫｕ，ＢＬＫｄの偶数段に与えられることで、偶数段の各画素に逆極性の黒レベル信号が書き込まれる。その際、奇数段の駆動パルス（１）が“Ｌ”レベルに遷移しているため、奇数段の各画素には黒レベル信号は書き込まれない。
以上の動作がフィールド周期で実行される。これにより、黒フレーム部分において、上下で隣接する画素に対して逆極性の黒レベル信号が書き込まれる。すなわち、映像表示部分と同様に、黒フレーム部分でもライン（１Ｈ）反転駆動が実施されることになる。
上述したように、アスペクト比４：３の標準規格の表示画面でワイド規格の画面を表示可能なアクティブマトリクス型液晶表示装置において、ワイド画面表示時の上下の黒フレーム部分ＢＬＫｕ，ＢＬＫｄでも映像表示部分と同様にライン反転駆動を行うようにしたことで、ワイド画面時の画素の保持電位がライン反転状態のみとなるため、コモン電位Ｖｃｏｍの調整に余裕ができ、画品位の向上を図ることができる。
以上説明した本実施形態に係るアクティブマトリクス型液晶表示装置では、ワイド画面表示を行う際に、いずれのフィールドでも先ず奇数段に駆動パルス（１）を与え、次いで偶数段に駆動パルス（２）を与える、というようにその制御の順番は毎フィールドで同じとなっている。但し、その制御の順番は必ずしも同じである必要はなく、フィールドごとに奇数段と偶数段とを制御する順番を入れ替えるようにすることも可能である。
具体的には、図２の駆動パルス発生回路１３５において、図５のタイミングチャートに示すように、Ｎフィールドでは垂直クロックＶｃｋに同期して先ず駆動パルス（１）を、次いで駆動パルス（２）を生成し、次のＮ＋１フィールドでは逆に垂直クロックＶｃｋに同期して先ず駆動パルス（２）を、次いで駆動パルス（１）を生成するようにする。
これにより、ワイド画面表示の際に、Ｎフィールドでは先ず奇数段に駆動パルス（１）が与えられ、次いで偶数段に駆動パルス（２）が与えられ、Ｎ＋１フィールドでは先ず偶数段に駆動パルス（２）が与えられ、次いで奇数段に駆動パルス（１）が与えられる。すなわち、制御の順番が、Ｎフィールドでは奇数段→偶数段、Ｎ＋１フィールドでは偶数段→奇数段、Ｎ＋２フィールドでは奇数段→偶数段、Ｎ＋３フィールドでは偶数段→奇数段、……というように、奇数行と偶数行との駆動の順番がフィールドごとに入れ替えられる。
ここで、奇数段と偶数段との制御の順番が毎フィールド同じとした場合には、駆動パルス（１）の直後に駆動パルス（２）が発生することから、駆動パルス（１）が消滅した直後に奇数段の画素の保持電位が、引き続き駆動パルス（２）が発生することによって寄生容量などに起因するカップリングの影響を受け、その影響が毎フィールド同じように繰り返されるため、画品位が損なわれる懸念がある。
これに対して、上述したように、フィールドごとに奇数段と偶数段とを制御する順番を入れ替えることにより、Ｎフィールドで先ず奇数段がカップリングの影響を受け、Ｎ＋１フィールドで偶数段がカップリングの影響を受け、という具合にフィールドごとにカップリングの影響を受ける状態が変わり、視覚的にはそれが相殺されることになるため、カップリングの影響によって画品位が損なわれることがなくなり、その結果、画品位をより向上できる。
また、駆動パルス（１），（２）の生成に際しては、図６のタイミングチャートに示すように、駆動パルス（１），（２）の相互のパルス間に間隔ｔを持たせ、駆動パルス（１），（２）をオーバーラップさせないように生成するのが好ましい。これにより、これら駆動パルス（１），（２）を伝送する配線の寄生容量などの影響で、波形に多少のなまりが生じたとしても、間隔ｔの存在によって両駆動パルス（１），（２）がオーバーラップするのを防ぐことができる。その結果、そのオーバーラップに起因して奇数段と偶数段とに同時に同極性の黒レベル信号が書き込まれることに伴う筋状ノイズの発生を未然に防止できるため、画品位をさらに向上できる。
図７は、より好ましい駆動パルス（１），（２）、即ち図６のタイミングチャートに示す駆動パルス（１），（２）を生成するための駆動パルス発生回路１３５の具体的な回路構成の一例を示すブロック図である。図８に、垂直スタートパルスＶｓｔ、垂直クロックＶｃｋ、イネーブル信号ＥＮ、ワイドモード制御信号Ｗｉｄｅ及び各部の信号Ａ〜Ｌのタイミング関係を示す。
駆動パルス発生回路１３５には、ワイドモード時に外部から共に“Ｈ”レベルのイネーブル信号ＥＮ及びワイドモード制御信号Ｗｉｄｅが入力される。モード検出回路３１は“Ｈ”レベルのイネーブル信号ＥＮ及びワイドモード制御信号Ｗｉｄｅが入力されることで、“Ｈ”レベルのワイドモード判定信号Ａを出力する。このワイドモード判定信号Ａは、レベルシフタ３２〜３４及びバッファ３５，３６に供給される。
レベルシフタ３３は、垂直スタートパルスＶｓｔを入力としており、ワイドモード判定信号Ａが与えられることによって動作状態となり、垂直スタートパルスＶｓｔをレベルシフトしてパルス信号Ｂとして出力する。レベルシフタ３４は、垂直クロックＶｃｋを入力としており、ワイドモード信号Ａが与えられることによって動作状態となり、垂直クロックＶｃｋをレベルシフトして同相のクロック信号Ｃ及び逆相のクロック信号Ｄとしてそれぞれ出力する。
パルス信号Ｂは、ＯＲ回路３７に対してその一方の入力として与えられるとともに、フィールド判別回路３８に供給され、さらにシフトレジスタ３９，４０，４１で順にシフトされる。互いに逆相のクロック信号Ｃ，Ｄはシフトレジスタ３９，４０，４１に対してそれらのクロック信号として与えられる。また、クロック信号Ｃはシフトレジスタ４２にも供給される。
シフトレジスタ３９，４０，４１の各出力信号は、ＡＮＤ回路４３，４４，４５に対して各一方の入力として与えられる。シフトレジスタ４０の出力信号Ｅはさらに、ＯＲ回路３７に対してその他方の入力としても与えられる。ＯＲ回路３７の出力信号Ｆはレベルシフタ３２に供給される。レベルシフタ３２は、水平クロックＨｃｋを入力としており、ワイドモード信号Ａが与えられることによって動作状態となり、出力信号Ｆが与えられる期間において水平クロックＨｃｋをレベルシフトして次段のシフトレジスタ４２に対してそのクロック信号として供給する。
シフトレジスタ４２は、水平クロックＨｃｋに同期してクロック信号（垂直クロックＶｃｋ）Ｃをシフトして信号Ｇを内部で生成するとともに、この信号Ｇの立ち上がりのタイミングで信号Ｇよりも先述した間隔ｔだけパルス幅が狭い信号Ｈを２個出力し、また立ち下がりのタイミングで同じく信号Ｇよりも間隔ｔだけパルス幅が狭い信号Ｉを１個出力する。信号ＨはＡＮＤ回路４３，４５に対してその各他方の入力として与えられ、信号ＩはＡＮＤ回路４４に対してその他方の入力として与えられる。
その結果、ＡＮＤ回路４３，４４，４５からは、相互のパルス間に間隔ｔを持ったパルス信号Ｊ，Ｋ，Ｌがそれぞれ出力される。これらパルス信号Ｊ，Ｋ，Ｌのうち、パルス信号Ｊ，Ｌは切り替え回路４６に対してその２入力として与えられ、この切り替え回路４６によっていずれか一方が選択されてバッファ３５に供給される。パルス信号Ｋは直接バッファ３６に供給される。
フィールド判別回路３８はＴ型フリップフロップからなり、レベルシフタ３３から出力されるパルス信号（垂直スタートパルスＶｓｔ）Ｂをトリガー入力とすることで、図９のタイミングチャートに示すように、当該パルス信号Ｂが与えられるごとに極性が反転するフィールド判別信号Ｍを出力する。このフィールド判別信号Ｍの極性が例えば“Ｈ”レベルのときは奇数フィールド、“Ｌ”レベルのときは偶数フィールドとなる。
このフィールド判別信号Ｍは切り替え回路４６に対してその切り替え制御信号として与えられる。切り替え回路４６は、フィールド判別信号Ｍが例えば“Ｈ”レベルのときパルス信号Ｊを選択し、“Ｌ”レベルのときパルス信号Ｌを選択してバッファ３５に供給する。すなわち、パルス信号Ｊとパルス信号Ｌとは、切り替え回路４６によってフィールドごとに交互に選択されることになる。
そして、バッファ３５，３６はワイドモード判定信号Ａが与えられることによって動作状態となり、バッファ３５はフィールドごとに交互にパルス信号Ｊとパルス信号Ｌとを駆動パルス（１）として出力し、バッファ３６はフィールドに関係なく常にパルス信号Ｋを駆動パルス（２）として出力する。
上述した回路構成の駆動パルス発生回路１３５によれば、図６のタイミングチャートに示すように、Ｎフィールドでは垂直クロックＶｃｋに同期して先ず駆動パルス（１）を、次いで駆動パルス（２）を生成し、Ｎ＋１フィールドでは逆に垂直クロックＶｃｋに同期して先ず駆動パルス（２）を、次いで駆動パルス（１）を生成するとともに、駆動パルス（１）と駆動パルス（２）との間に間隔ｔを持たせ、オーバーラップさせないようにした駆動パルス（１），（２）を生成することができる。
なお、駆動パルス（１），（２）を生成するための駆動パルス発生回路１３５については、画素部１１、水平駆動系１２及び垂直駆動系１３などと共に、同一の基板（液晶表示パネル）上に作製し、上述したように液晶表示パネル内に外部から供給される制御パルスを用いて駆動パルス（１），（２）を生成するようにしても良く、また液晶表示パネル外に設けて外部で生成した駆動パルス（１），（２）を液晶表示パネル内に供給するようにしても良い。
図１０は、本発明に係るカメラシステム、例えばＶＴＲ機能を一体的に搭載したカムコーダと称されるビデオカメラの構成例を概略的に示すブロック図である。図１０において、撮像デバイス、例えばＣＣＤ（Ｃｈａｒｇｅ  Ｃｏｕｐｌｅｄ  Ｄｅｖｉｃｅ）撮像素子５１で被写体の撮像が行われ、その撮像信号はアナログ信号処理回路５２及びカメラ信号処理回路５３で各種の信号処理が行われる。
具体的には、アナログ信号処理回路５２では、ＣＣＤ撮像素子５１から出力される撮像信号に対して、当該撮像素子５１の出力部で発生する１／ｆノイズなどを除去するためのＣＤＳ（相関二重サンプリング）処理や、信号レベルを一定にするためのＡＧＣ（自動利得制御）処理などの信号処理が行われる。また、カメラ信号処理回路５３では、輝度信号及び色差信号の生成や、オートホワイトバランス等の画質調整などの信号処理が例えばデジタル処理にて行われ、最終的にアナログ映像信号として出力される。
このアナログ映像信号は、記録／再生部５４に供給される。記録／再生部５４は、入力されるアナログ映像信号を磁気テープなどの記録媒体５５に記録（あるいは、画像メモリなどの記憶媒体に記憶）し、また記録媒体５５に記録されている記録情報を再生する。
本カムコーダは、撮像中の被写体（撮像画像）を確認するための表示装置として、液晶モニタ５６及び液晶ビューファインダ５７を備えている。これら液晶モニタ５６及び液晶ビューファインダ５７として、先述した実施形態に係るアクティブマトリクス型液晶表示装置が用いられる。そして、液晶モニタ５６及び液晶ビューファインダ５７には、ドライバＩＣ５８でコモン電位Ｖｃｏｍを中心に交流駆動化されたアナログ映像信号が、切り替えスイッチ５９を介して選択的に供給される。
このように、本発明に係るカムコーダでは、液晶モニタ３６及び液晶ビューファインダ３７として、先述した実施形態に係るアクティブマトリクス型液晶表示装置を用いていることにより、標準のテレビジョン方式のみならず、アスペクト比が異なるテレビジョン方式、具体的にはワイドビジョンにも対応でき、しかもワイドモードでの画品位を向上できる。
なお、本適用例では、液晶モニタ５６及び液晶ビューファインダ５７の双方に、先述した実施形態に係るアクティブマトリクス型液晶表示装置を用いるとしたが、いずれか一方のみに用いるようにしても良く、またいずれか一方の液晶表示装置を備えたビデオカメラやスチルカメラなどのカメラシステムに対しても同様に適用可能である。
産業上の利用可能性
本発明によれば、アスペクト比の異なる画面を表示する際に、画素部における上下の特定領域の奇数行と偶数行とを別系統の駆動パルスで駆動し、特定領域も映像表示部分と同様にライン反転駆動を行うことで、ワイド画面表示時の画素の保持電位が特定領域も映像表示部分と同じライン反転状態となるため、コモン電位の調整のマージンを広げ、かつ画品位を向上することができる。
【図面の簡単な説明】
図１は、従来技術を説明するための概念図である。
図２は、本発明の一実施形態に係るアクティブマトリクス型液晶表示装置の構成例を示す概略構成図である。
図３は、別系統の駆動パルス（１），（２）を示すタイミングチャートである。
図４は、黒フレーム部分の表示駆動を説明する概念図である。
図５は、本発明の変形例に対応した駆動パルス（１），（２）を示すタイミングチャートである。
図６は、本発明のさらに他の変形例に対応した駆動パルス（１），（２）を示すタイミングチャートである。
図７は、駆動パルス（１），（２）を生成するための駆動パルス発生回路の具体的な回路構成の一例を示すブロック図である。
図８は、図７に示す駆動パルス発生回路の回路動作を説明するためのタイミングチャート（その１）である。
図９は、図７に示す駆動パルス発生回路の回路動作を説明するためのタイミングチャート（その２）である。
図１０は、本発明に係るカメラシステムの構成例を概略的に示すブロック図である。
【図１】
0004115842.tif 000002
【図２】
0004115842.tif 000003
【図３】
0004115842.tif 000004
【図４】
0004115842.tif 000005
【図５】
0004115842.tif 000006
【図６】
0004115842.tif 000007
【図７】
0004115842.tif 000008
【図８】
0004115842.tif 000009
【図９】
0004115842.tif 000010
【図１０】
0004115842.tif 000011